(57)【要約】【課題】第１の処理部を備える媒体処理装置に第２の処理部を構成簡単、且つメンテナンス性良好に追加する。また、追加した第２の処理部が、第１の処理部による処理後の媒体を載置する第１トレイからの媒体の取り出しを妨げることを回避する。【解決手段】媒体処理装置４は、第１受入部４１から受け入れられた媒体に対して第１の処理を行う第１処理部４２と、第１受入部４１から受け入れられた媒体を第１処理部４２を経由させずに送り出す送出部４３とを備える第１ユニット５と、第１ユニット５の外側に設けられ、第１ユニット５から排出される第１の処理後の媒体を受ける第１トレイ４４とを備え、第１ユニット５は、送出部４３から送り出される媒体を受け入れる第２受入部６１、及び第２受入部６１から受け入れられた媒体に対して第２の処理を行う第２処理部６２を備える第２ユニット６を、第１トレイ４４の下方において着脱可能に構成される。【選択図】図１
2020075800.tif 000002
【特許請求の範囲】
【請求項１】
媒体を受け入れる第１受入部と、前記第１受入部から受け入れられた前記媒体に対して第１の処理を行う第１処理部と、前記第１受入部から受け入れられた媒体を前記第１処理部を経由させずに送り出す送出部と、を備える第１ユニットと、
前記第１ユニットの外側に設けられ、前記第１ユニットから排出される前記第１の処理後の前記媒体を受ける第１トレイと、を備え、
前記第１ユニットは、前記送出部から送り出される前記媒体を受け入れる第２受入部、及び前記第２受入部から受け入れられた前記媒体に対して第２の処理を行う第２処理部を備える第２ユニットを、前記第１トレイの下方において着脱可能に構成される、
ことを特徴とする媒体処理装置。
【請求項２】
請求項１に記載の媒体処理装置において、
前記第１ユニットは、前記第２ユニットに設けられる被装着部と接続されることにより、当該第１ユニットに対して前記第２ユニットを装着する装着部を備え、前記装着部と前記被装着部との接続により前記第１ユニットと第２ユニットとが電気的に接続される、
ことを特徴とする媒体処理装置。
【請求項３】
請求項１または請求項２に記載の媒体処理装置において、
前記第２ユニットの外観を構成する筐体は、前記第１ユニットからの媒体排出方向に対して前記第１トレイと重なる、
ことを特徴とする媒体処理装置。
【請求項４】
請求項１から請求項３のいずれか一項に記載の媒体処理装置において、
前記第１処理部は、前記第１の処理として複数の前記媒体の端部を綴じる端綴じ処理を行い、
前記第２処理部は、前記第２の処理として複数の前記媒体の幅方向の中央を綴じて折る中綴じ処理を行う、
ことを特徴とする媒体処理装置。
【請求項５】
請求項１から請求項４のいずれか一項に記載の媒体処理装置において、
前記第２ユニットは、内部に設けられる媒体搬送経路の一部を開放するカバーを備える、
ことを特徴とする媒体処理装置。
【請求項６】
媒体に記録を行う記録部を備える記録ユニットと、
前記記録部による記録後の前記媒体を前記第１受入部から受け入れる請求項１から請求項５のいずれか一項に記載の前記媒体処理装置と、
を備えることを特徴とする記録システム。
【請求項７】
請求項６に記載の記録システムにおいて、
前記第２ユニットは、前記記録部よりも鉛直方向において下方に位置する、
を備えることを特徴とする記録システム。
【請求項８】
請求項６または請求項７に記載の記録システムにおいて、
前記記録部は、前記媒体に対して液体を吐出して記録を行う構成であり、
前記記録部による記録後の前記媒体を、前記記録ユニットから前記媒体処理装置の前記第１受入部に受け渡す中間ユニットを備える、
ことを特徴とする記録システム。
【請求項９】
媒体を受け入れる第１受入部、前記第１受入部から受け入れられた前記媒体に対して第１の処理を行う第１処理部、および前記第１受入部から受け入れられた媒体を前記第１処理部を経由させずに送り出す送出部を備える第１ユニットと、前記第１ユニットの外側に設けられ、前記第１ユニットから排出される前記第１の処理後の前記媒体を受ける第１トレイと、を備える媒体処理装置に対して取り付けられる装置ユニットであって、
前記送出部から送り出される前記媒体を受け入れる第２受入部、及び前記第２受入部から受け入れられた前記媒体に対して第２の処理を行う第２処理部を備えるとともに、前記第１トレイの下方において前記第１ユニットに対して着脱可能に構成される、
ことを特徴とする装置ユニット。
【請求項１０】
請求項９に記載の装置ユニットにおいて、
前記第２処理部は、前記第２の処理として複数の前記媒体の幅方向の中央を綴じて折る中綴じ処理を行う、
ことを特徴とする装置ユニット。
【発明の詳細な説明】
【技術分野】
【０００１】
本発明は、媒体に処理を行う媒体処理装置、媒体処理装置に装着される装置ユニット、及び媒体処理装置を備える記録システムに関する。
【背景技術】
【０００２】
媒体に所定の処理を行う媒体処理装置において、媒体に対して複数の処理を実行可能に構成されるものがある。例えば、媒体に対して行う処理としては、ステープル処理、パンチング処理、複数枚の媒体を重ねて幅方向の中央を綴じる中綴じ処理等がある。  
尚、このような媒体処理装置は、インクジェットプリンターに代表される記録装置における媒体への記録から、記録後の媒体へのステープル処理等の後処理までを連続して実行可能な記録システムに組み込まれる場合もある。
【０００３】
このような媒体処理装置の一例として、第１の処理として綴じ処理（ステープル処理）を行う第１処理部と、第２の処理として中綴じ処理を行う第２処理部と、を備えるものがある（例えば特許文献１または特許文献２）。
【先行技術文献】
【特許文献】
【０００４】
【特許文献１】特開２０１８−１５００９７号公報
【特許文献２】特開２０１２−１４８９０２号公報
【発明の概要】
【発明が解決しようとする課題】
【０００５】
特許文献１に記載の媒体処理装置においては、第１処理部と第２処理部とが同一の筐体内に納められている。複数の処理部が同一の筐体に設けられていると、装置内における媒体詰まりの処理性やメンテナンス性が低下する場合がある。
【０００６】
特許文献２に記載の媒体処理装置においては、第１処理部としての端綴じ装置が設けられる筐体の外側に、第２処理部としての中綴じ装置が設けられている。第２処理部は、第１処理部で処理された媒体束を収容する綴じ収容受けの上方に配置されており、綴じ収容受けから媒体が取り出し難くなる。
【０００７】
また、媒体処理装置においてユーザーが必要な処理機能を選択できるように、例えば、第１処理部を備える媒体処理装置に対し、第２処理部をオプションで容易に追加できる構成が求められている。
【課題を解決するための手段】
【０００８】
上記課題を解決する本発明の媒体処理装置は、媒体を受け入れる第１受入部と、前記第１受入部から受け入れられた前記媒体に対して第１の処理を行う第１処理部と、前記第１受入部から受け入れられた媒体を前記第１処理部を経由させずに送り出す送出部と、を備える第１ユニットと、前記第１ユニットの外側に設けられ、前記第１ユニットから排出される前記第１の処理後の前記媒体を受ける第１トレイと、を備え、前記第１ユニットは、前記送出部から送り出される前記媒体を受け入れる第２受入部、及び前記第２受入部から受け入れられた前記媒体に対して第２の処理を行う第２処理部を備える第２ユニットを、前記第１トレイの下方において着脱可能に構成される、ことを特徴とする。
【図面の簡単な説明】
【０００９】
【図１】第１実施形態に係る記録システムの概略図。
【図２】媒体処理装置に第２ユニットを装着した記録システムの概略図。
【図３】記録ユニットにおける媒体搬送経路を示す概略側断面図。
【図４】中間ユニットにおける媒体搬送経路を示す概略側断面図。
【図５】媒体処理装置における媒体搬送経路を示す概略側断面図。
【図６】第２処理部を示す概略側断面図。
【図７】第２処理部による第２の処理について説明する概略側断面図。
【発明を実施するための形態】
【００１０】
以下、本発明について概略的に説明する。  
第１の態様に係る媒体処理装置は、媒体を受け入れる第１受入部と、前記第１受入部から受け入れられた前記媒体に対して第１の処理を行う第１処理部と、前記第１受入部から受け入れられた媒体を前記第１処理部を経由させずに送り出す送出部と、を備える第１ユニットと、前記第１ユニットの外側に設けられ、前記第１ユニットから排出される前記第１の処理後の前記媒体を受ける第１トレイと、を備え、前記第１ユニットは、前記送出部から送り出される前記媒体を受け入れる第２受入部、及び前記第２受入部から受け入れられた前記媒体に対して第２の処理を行う第２処理部を備える第２ユニットを、前記第１トレイの下方において着脱可能に構成される、ことを特徴とする。
【００１１】
本態様によれば、前記媒体処理装置は、前記第１ユニットに対して前記第２ユニットを着脱可能に構成されているので、前記第１ユニットと前記第２ユニットとを接続し、第１の処理機能と第２の処理機能の双方を有する構成と、前記第２ユニットを前記第１ユニットから取り外し、第１の処理機能のみを有する構成と、を容易に切り換えることができる。  
また、第１処理部と第２処理部とが個別のユニットとして設けられるので、装置内における媒体詰まりの処理性や各処理部に対するメンテナンス性を良好にすることができる。  
また、前記第２ユニットは、第１ユニットに装着された場合に前記第１トレイの下方に配置されるので、前記第２ユニットによって前記第１トレイに排出された媒体の取り出しが妨げられる虞を回避できる。
【００１２】
第２の態様は、第１の態様において、前記第１ユニットは、前記第２ユニットに設けられる被装着部と接続されることにより、当該第１ユニットに対して前記第２ユニットを装着する装着部を備え、前記装着部と前記被装着部との接続により前記第１ユニットと第２ユニットとが電気的に接続されることを特徴とする。
【００１３】
本態様によれば、前記装着部と前記被装着部との接続により、前記第１ユニットと前記第２ユニットとの間の機械的な接続と電気的な接続との双方を成すことができる。
【００１４】
第３の態様は、第１の態様または第２の態様において、前記第２ユニットの外観を構成する筐体は、前記第１ユニットからの媒体排出方向に対して前記第１トレイと重なる、ことを特徴とする。
【００１５】
本態様によれば、前記第２ユニットの外観を構成する筐体が、前記第１ユニットからの媒体排出方向において前記第１トレイからはみ出さない構成とすることができ、媒体処理装置を省スペースで配置することができる。
【００１６】
第４の態様は、第１の態様から第３の態様のいずれかにおいて、前記第１処理部は、前記第１の処理として複数の前記媒体の端部を綴じる端綴じ処理を行い、前記第２処理部は、前記第２の処理として複数の前記媒体の幅方向の中央を綴じて折る中綴じ処理を行う、ことを特徴とする。
【００１７】
本態様によれば、前記第１処理部が、前記第１の処理として複数の前記媒体の端部を綴じる端綴じ処理を行い、前記第２処理部が、前記第２の処理として複数の前記媒体の幅方向の中央を綴じて折る中綴じ処理を行う媒体処理装置において、第１の態様から第３の態様のいずれかの作用効果が得られる。
【００１８】
第５の態様は、第１の態様から第４の態様のいずれかにおいて、前記第２ユニットは、内部に設けられる媒体搬送経路の一部を開放するカバーを備える、ことを特徴とする。
【００１９】
本態様によれば、前記第２ユニットは、内部に設けられる媒体搬送経路の一部を開放するカバーを備えるので、例えば前記媒体搬送経路において生じた媒体のジャム処理を容易に行うことができる。
【００２０】
第６の態様に係る記録システムは、媒体に記録を行う記録部を備える記録ユニットと、前記記録部による記録後の前記媒体を前記第１受入部から受け入れる第１の態様から第５の態様のいずれかの前記媒体処理装置と、を備えることを特徴とする。
【００２１】
本態様によれば、前記記録部による記録後の前記媒体に対して、第１の態様から第５の態様のいずれかの前記媒体処理装置によって処理を行う記録システムとすることができる。
【００２２】
第７の態様は、第６の態様において、前記第２ユニットは、前記記録部よりも鉛直方向において下方に位置する、を備えることを特徴とする。
【００２３】
本態様によれば、前記第２ユニットは、前記記録部よりも鉛直方向において下方に位置するので、前記第２ユニットをコンパクトに配置することができる。
【００２４】
第８の態様は、第６の態様または第７の態様において、前記記録部は、前記媒体に対して液体を吐出して記録を行う構成であり、前記記録部による記録後の前記媒体を、前記記録ユニットから前記媒体処理装置の前記第１受入部に受け渡す中間ユニットを備える、ことを特徴とする。
【００２５】
前記記録部が前記媒体に対して液体を吐出して記録を行う構成である場合、前記媒体処理装置における処理を行う際に前記媒体が湿っていると、記録面が擦れたり、媒体の整合性が不良となることがある。  
本態様によれば、前記記録部による記録後の前記媒体を、前記記録ユニットから前記媒体処理装置の前記第１受入部に受け渡す中間ユニットを備えるので、記録後の前記媒体を前記媒体処理装置に送るまでの間の搬送時間を長くとり、前記媒体処理装置に到達するまでに媒体をより乾燥させることができる。
【００２６】
第９の態様に係る装置ユニットは、媒体を受け入れる第１受入部、前記第１受入部から受け入れられた前記媒体に対して第１の処理を行う第１処理部、および前記第１受入部から受け入れられた媒体を前記第１処理部を経由させずに送り出す送出部を備える第１ユニットと、前記第１ユニットの外側に設けられ、前記第１ユニットから排出される前記第１の処理後の前記媒体を受ける第１トレイと、を備える媒体処理装置に対して取り付けられる装置ユニットであって、前記送出部から送り出される前記媒体を受け入れる第２受入部、及び前記第２受入部から受け入れられた前記媒体に対して第２の処理を行う第２処理部を備えるとともに、前記第１トレイの下方において前記第１ユニットに対して着脱可能に構成されることを特徴とする。
【００２７】
本態様によれば、前期媒体処理装置に対して取り付けられる装置ユニットが、前記第１ユニットに対して着脱可能に構成されるので、媒体処理装置において、前記第１ユニットと前記装置ユニットとを接続し、第１の処理機能と第２の処理機能の双方を有する構成と、前記装置ユニットを前記第１ユニットから取り外し、第１の処理機能のみを有する構成と、を容易に切り換えることができる。  
また、第１処理部と第２処理部は個別のユニットに設けられるので、装置内における媒体詰まりの処理性やメンテナンス性を良好にすることができる。  
また、前記装置ユニットは前記第１トレイの下方に配置されるので、前記装置ユニットによって前記第１トレイに排出された媒体の取り出しが妨げられる虞を回避できる。
【００２８】
第１０の態様は、第９の態様において、前記第２処理部は、前記第２の処理として複数の前記媒体の幅方向の中央を綴じて折る中綴じ処理を行う、ことを特徴とする。
【００２９】
本態様によれば、前記第２の処理として複数の前記媒体の幅方向の中央を綴じて折る中綴じ処理を行う前記第２処理部を備える装置ユニットにおいて、第９の態様と同様の作用効果が得られる。
【００３０】
［第１実施形態］
以下、第１実施形態について図を参照して説明する。各図において示すＸ−Ｙ−Ｚ座標系はＸ軸方向が装置奥行き方向を示し、Ｙ軸方向が装置幅方向を示し、Ｚ軸方向が装置高さ方向を示している。
【００３１】
＜＜＜記録システムの概略＞＞＞
図１に示す記録システム１は、一例として、図１の右方から左方に向かって順に記録ユニット２と、中間ユニット３と、媒体処理装置４を構成する第１ユニット５と、を備えている。  
媒体処理装置４は、図２に示すように、第１ユニット５に対して装置ユニットとしての第２ユニット６を装着することができる。第２ユニット６は、第１ユニット５に着脱可能に構成されている。  
記録ユニット２は、搬送される媒体に記録を行う。中間ユニット３は、記録後の媒体を記録ユニット２から受け入れて媒体処理装置４に受け渡す。媒体処理装置４は、記録ユニット２における記録後の媒体に所定の処理を行う。以下、記録ユニット２、中間ユニット３、媒体処理装置４の順に詳しく説明する。
【００３２】
＜＜＜記録ユニットについて＞＞＞
図３を参照して記録ユニット２について説明する。記録ユニット２は、媒体に記録を行う記録部としてのラインヘッド２０を備えるプリンター部１０と、スキャナー部１１を備える複合機として構成されている。本実施形態において、ラインヘッド２０は、液体であるインクを媒体に吐出して記録を行う、所謂インクジェット式の記録ヘッドとして構成されている。  
プリンター部１０の下部には、複数の媒体収容カセット１２を備えるカセット収容部１４が設けられている。媒体収容カセット１２に収容された媒体Ｐが、図３において実線で示す給送経路２１を通ってラインヘッド２０による記録領域に送られて、記録動作が行われる。ラインヘッド２０による記録後の媒体は、ラインヘッド２０の上方に設けられる記録後排出トレイ１３に媒体を排出するための経路である第１排出経路２２か、中間ユニット３に媒体を送るための経路である第２排出経路２３か、のいずれかに送られる。
【００３３】
図３において、第１排出経路２２を破線で示し、第２排出経路２３を一点鎖線で示している。記録ユニット２の＋Ｙ方向には受渡部２６が設けられており、第２排出経路２３を搬送される媒体は受渡部２６から出て、隣接する中間ユニット３の中間受入部３４に受け渡される。
【００３４】
また、記録ユニット２は、図３において二点鎖線で示す反転用経路２４を備え、媒体の第１面への記録後に、媒体を反転して第２面への記録を行う両面記録が可能に構成されている。  
尚、給送経路２１、第１排出経路２２、第２排出経路２３、及び反転用経路２４のそれぞれには、媒体を搬送する手段の一例として、図示を省略する搬送ローラー対が一対以上配置されている。  
記録ユニット２には、記録ユニット２における媒体の搬送や記録に係る動作を制御する制御部２５が設けられている。尚、記録システム１は、記録ユニット２、中間ユニット３、及び媒体処理装置４が互いに接続されて、記録ユニット２から媒体処理装置４まで媒体を搬送可能に構成されている。制御部２５は、記録ユニット２に接続された中間ユニット３、及び媒体処理装置４における各種動作の制御を行うこともできる。
【００３５】
記録システム１は、図示を省略する操作パネルから、記録ユニット２、中間ユニット３及び媒体処理装置４における設定を入力することができるように構成されている。操作パネルは、一例として記録ユニット２に設けることができる。
【００３６】
＜＜＜中間ユニットについて＞＞＞
図４を参照して中間ユニット３について説明する。図４に示す中間ユニット３は、ラインヘッド２０による記録後の媒体を、記録ユニット２から媒体処理装置４の第１受入部４１に受け渡す。中間ユニット３は、記録ユニット２と媒体処理装置４との間に配置されている。中間ユニット３の−Ｙ方向には中間受入部３４が設けられている。記録ユニット２の第２排出経路２３を通り、受渡部２６から受け渡される記録後の媒体は、中間受入部３４から中間ユニット３内の受入経路３０に受け入れられて、媒体処理装置４に向けて搬送される。尚、受入経路３０は、図４において実線で示されている。
【００３７】
中間ユニット３において、媒体を搬送する搬送経路は二つある。一つ目の搬送経路は、受入経路３０から図４において点線で示す第１スイッチバック経路３１を経て、合流経路３３に搬送される経路である。二つ目の経路は、受入経路３０から図４において二点鎖線で示す第２スイッチバック経路３２を経て、合流経路３３に搬送される経路である。  
第１スイッチバック経路３１は矢印Ａ１方向に媒体を受け入れた後、矢印Ａ２方向に媒体をスイッチバックさせる経路である。第２スイッチバック経路３２は矢印Ｂ１方向に媒体を受け入れた後、矢印Ｂ２方向に媒体をスイッチバックさせる経路である。
【００３８】
受入経路３０は、分岐部３５において第１スイッチバック経路３１と第２スイッチバック経路３２とに分岐している。分岐部３５には、媒体の送り先を第１スイッチバック経路３１と第２スイッチバック経路３２とのいずれかに切り換える不図示のフラップが設けられている。
【００３９】
また、第１スイッチバック経路３１と第２スイッチバック経路３２は合流部３６において合流している。したがって、媒体が受入経路３０から第１スイッチバック経路３１または第２スイッチバック経路３２のいずれに送られても、共通の合流経路３３を経て媒体処理装置４に媒体を受け渡すことができる。
【００４０】
中間ユニット３の＋Ｙ方向には、中間受渡部３７が設けられており、合流経路３３を搬送される媒体は中間受渡部３７から出て、媒体処理装置４の第１ユニット５の第１受入部４１に受け渡される。  
尚、受入経路３０、第１スイッチバック経路３１、第２スイッチバック経路３２、及び合流経路３３のそれぞれには、図示を省略する搬送ローラー対が一つ以上配置されている。
【００４１】
記録ユニット２において、複数の媒体に連続して記録を行う場合、中間ユニット３に入った媒体は、第１スイッチバック経路３１を通る搬送経路と、第２スイッチバック経路３２を通る搬送経路とに交互に送られる。このことによって、中間ユニット３における媒体搬送のスループットを高めることができる。
【００４２】
また、本実施形態のラインヘッド２０のように、媒体に対してインク（液体）を吐出して記録を行う構成である場合、後段の媒体処理装置４における処理を行う際に媒体が湿っていると、記録面が擦れたり、媒体の整合性が不良となることがある。  
記録後の媒体を、中間ユニット３を介して記録ユニット２から媒体処理装置４に受け渡すことにより、記録後の媒体が媒体処理装置４に送られるまでの搬送時間を長くとり、媒体処理装置４に到達するまでに媒体をより乾燥させることができる。
【００４３】
＜＜＜媒体処理装置について＞＞＞
図５を参照して媒体処理装置４について説明する。媒体処理装置４は、媒体を受け入れる第１受入部４１と、第１受入部４１から受け入れられた媒体に対して第１の処理を行う第１処理部４２と、第１受入部４１から受け入れられた媒体を第１処理部４２を経由させずに送り出す送出部４３と、を備える第１ユニット５と、第１ユニット５の外側に設けられ、第１ユニット５から排出される第１の処理後の媒体を受ける第１トレイ４４と、を備えている。第１トレイ４４は、第１ユニット５の外観を構成する筐体である第１の筐体４０から＋Ｙ方向に突出して設けられている。本実施形態において第１トレイ４４は、ベース部４４ａと延長部４４ｂを備え、延長部４４ｂはベース部４４ａに収納可能に構成されている。
【００４４】
本実施形態において、第１処理部４２は、「第１の処理」の一例として、複数枚の媒体を重ねて端部を綴じる端綴じ処理を行うステープラーである。尚、媒体に対して行う「第１の処理」として、端綴じ処理の他、媒体の所定の位置に穴をあけるパンチング処理等を行う構成とすることもできる。
【００４５】
そして、第１ユニット５は、第２ユニット６を第１トレイ４４の下方において着脱可能に構成されている。図５及び図２には、第２ユニット６を第１トレイ４４に装着した状態が示されており、図１には、第２ユニット６が第１トレイ４４から取り外された状態が示されている。
【００４６】
第２ユニット６は、第１ユニット５の送出部４３から送り出される媒体を受け入れる第２受入部６１、及び第２受入部６１から受け入れられた媒体に対して「第２の処理」を行う第２処理部６２を備えている。本実施形態において第２受入部６１は、「第２の処理」の一例として、複数の媒体の幅方向の中央を綴じて折る中綴じ処理を行う。尚、第１ユニット５及び第２ユニット６の内部の詳細な構成については後で説明する。
【００４７】
媒体処理装置４が、第１ユニット５に対して第２ユニット６を着脱可能に構成されていることにより、図２に示すように第１ユニット５と第２ユニット６とを接続し、第１の処理機能と第２の処理機能の双方を有する構成と、図１に示すように第２ユニット６を第１ユニット５から取り外し、第１の処理機能のみを有する構成と、を容易に切り換えることができる。したがって、第１ユニット５に設けられる第１処理部４２による第１の処理機能を備える媒体処理装置４に対し、第２ユニット６に設けられる第２処理部６２による第２の処理機能をオプションでの追加を容易にできる。以って、ユーザーによる必要な処理機能の選択の自由度が増す。
【００４８】
そして、第１ユニット５に装着された第２ユニット６が第１トレイ４４の下方に配置されるので、第２ユニット６によって第１トレイ４４に排出された媒体の取り出しが妨げられる虞を回避できる。
【００４９】
また、第１ユニット５及び第２ユニット６では、装置内部で媒体が詰まる「ジャム」が生じる虞がある。本実施形態においては、第１処理部４２と第２処理部６２とが個別のユニットとして設けられるので、装置内部におけるジャムの処理性やメンテナンス性を良好にすることができる。
【００５０】
第１ユニット５は、第２ユニット６に設けられる被装着部６３と接続されることにより、第１ユニット５に対して第２ユニット６を装着する装着部４５を備え、装着部４５と被装着部６３との接続により第１ユニット５と第２ユニット６とが電気的に接続される。  
この構成により、装着部４５と被装着部６３との接続により、第１ユニット５と第２ユニット６との間の機械的な接続と電気的な接続との双方を成すことができる。装着部４５と被装着部６３との接続をロックする不図示のロック部を設けることも可能である。
【００５１】
尚、記録ユニット２と中間ユニット３は、記録ユニット２に設けられる第１装着部１５と、中間ユニット３に設けられる第１被装着部３８との接続により機械的及び電気的に接続することができる。第１ユニット５と中間ユニット３は、中間ユニット３に設けられる第２装着部３９と、第１ユニット５に設けられる第２被装着部４６との接続により、機械的及び電気的に接続することができる。
【００５２】
本実施形態において、第２ユニット６の外観を構成する筐体である第２の筐体６０は、第１ユニット５からの媒体排出方向に対して第１トレイ４４と重なる。この構成により、第２ユニット６の第２の筐体６０が、媒体排出方向において第１トレイ４４からはみ出さない構成とすることができ、媒体処理装置４を省スペースで配置することができる。本実施形態において第１ユニット５からの媒体排出方向は、＋Ｙ方向に沿う方向である。  
尚、第２ユニット６は、第２処理部６２における第２の処理後の媒体を排出する第２トレイ６５を第２の筐体６０の外部に備えており、第２トレイ６５は、媒体排出方向に対して一部が第１トレイ４４とずれて配置されている。勿論、第２トレイ６５の全体も、媒体排出方向に対して第１トレイ４４と重なる構成とすることも可能である。
【００５３】
＜＜＜第１ユニットについて＞＞＞
図５を参照して、第１ユニット５について説明する。  
中間ユニット３の合流経路３３を搬送された媒体は、中間受渡部３７から第１ユニット５の第１受入部４１に受け渡される。第１受入部４１から第１ユニット５に受け入れられた媒体は、図５において実線で示す第１搬送経路４７を搬送される。第１搬送経路４７を搬送される媒体Ｐは、第１の筐体４０の上部に設けられる処理トレイ４８まで送られて、搬送方向の後端を揃えて処理トレイ４８にスタックされる。所定の枚数の媒体Ｐが処理トレイ４８にスタックされたら、媒体Ｐの後端に第１処理部４２による端綴じ処理が行われる。端綴じ処理後の媒体は、不図示の排出手段によって第１トレイ４４に排出される。
【００５４】
第１搬送経路４７には、第１分岐部５６で第１搬送経路４７から分岐する第２搬送経路５１が設けられている。第２搬送経路５１は、送出部４３に連なり、第１受入部４１から受け入れられた媒体を第１処理部４２を経由させずに送り出す経路である。
【００５５】
更に、第１搬送経路４７には、第１分岐部５６の下流の第２分岐部５７で第１搬送経路４７から分岐する第３搬送経路５３が設けられている。第３搬送経路５３は、第１の筐体４０の上部に設けられる上部トレイ４９に媒体を排出する経路である。上部トレイ４９には、処理を施さない媒体をスタックすることができる。
【００５６】
第１搬送経路４７、第２搬送経路５１、及び第３搬送経路５３のそれぞれには、媒体を搬送する手段の一例として、図示を省略する搬送ローラー対が一対以上配置されている。また、第１分岐部５６、第２分岐部５７のそれぞれには、媒体の送り先を切り換える不図示のフラップが設けられている。
【００５７】
＜＜＜第２ユニットについて＞＞＞
図５を参照して、第２ユニット６について説明する。  
第２ユニット６は、送出部４３から送り出される媒体を受け入れる第２受入部６１、及び第２受入部６１から受け入れられた媒体に対して第２の処理としての中綴じ処理を行う第２処理部６２を備えるとともに、第１トレイ４４の下方において第１ユニット５に対して着脱可能に構成されている。
【００５８】
より具体的には、第１ユニット５の第２搬送経路５１を搬送された媒体は、送出部４３から第２ユニット６の第２受入部６１に受け渡される。第２受入部６１から第２ユニット６に受け入れられた媒体は、図５において実線で示す搬送経路７０を搬送されて第２処理部６２に送られる。搬送経路７０にも、媒体を搬送する手段の一例として、図示を省略する搬送ローラー対が一対以上配置されている。  
第２処理部６２では、媒体を綴じた後、綴じ部で折って冊子体にする中綴じ処理（第２の処理）を行うことができる。中綴じ処理後の媒体束は第２トレイ６５に排出される。第２トレイ６５は媒体排出方向の先端に規制部６６を備え、第２トレイ６５に排出された媒体束が媒体排出方向に第２トレイ６５からはみ出す、或いは第２トレイ６５から落下することを抑制する。符号６７は、第２の筐体６０から排出される媒体束Ｍを第２トレイ６５にガイドするガイド部６７である。
【００５９】
図６及び図７を参照して、第２処理部６２について更に詳しく説明する。  
第２処理部６２は、図６に示されるように、搬送経路７０から搬送される媒体Ｐを載置するスタック部７１と、スタック部７１にスタックされた複数枚の媒体Ｐから成る媒体束Ｍを綴じ位置Ｃで綴じる綴じ部７２と、媒体束Ｍを綴じ位置Ｃで折る折りローラー対７３と、媒体束Ｍの綴じ位置Ｃを折りローラー対７３にニップさせるブレード７４と、を備えている。図６において、符号Ｇは、搬送経路７０とスタック部７１とが合流する合流位置Ｇを示している。また、本実施形態における綴じ位置Ｃは、スタック部７１にスタックされた媒体Ｐの搬送方向＋Ｒにおける中央部である。  
媒体Ｐは、送りローラー対７５によって搬送経路７０からスタック部７１に送られる。
【００６０】
図６に示すスタック部７１には、スタック部７１にスタックされた媒体Ｐの搬送方向＋Ｒの先端Ｅ１に当接可能な第１当接部７６と、スタック部７１にスタックされた媒体Ｐの搬送方向＋Ｒの後端Ｅ２に当接可能な第２当接部７７とが設けられている。
【００６１】
第１当接部７６及び第２当接部７７は、図６に示すスタック部７１における媒体Ｐの搬送方向＋Ｒと、その逆方向−Ｒとの双方に移動可能に構成されている。言い換えると、第１当接部７６と第２当接部７７とは、互いに近づく方向と離れる方向との双方に移動可能に構成されている。  
第１当接部７６及び第２当接部７７は、例えば、不図示の駆動源の動力によって動作するラックアンドピニオン機構やベルト移動機構等を用い、搬送方向＋Ｒ及び逆方向−Ｒに移動させることができる。
【００６２】
合流位置Ｇの下流には、スタック部７１にスタックされた媒体束Ｍを搬送方向＋Ｒにおける所定の位置で綴じる綴じ部７２が設けられている。綴じ部７２は、一例としてステープラーである。本実施形態において綴じ部７２は、媒体の幅方向であるＸ軸方向に間隔を空けて複数設けられている。  
綴じ部７２は、搬送方向＋Ｒにおいて媒体束Ｍの中央部、すなわち、綴じ位置Ｃで媒体束Ｍを綴じるように構成されている。
【００６３】
綴じ部７２の下流には、折りローラー対７３が設けられている。スタック部７１は、折りローラー対７３のニップ位置Ｎとの間が開口して進入路７８が形成されている。進入路７８の入り口には、スタック部７１から綴じ位置Ｃをニップ位置Ｎに誘う斜面が形成されている。
【００６４】
スタック部７１を挟んで折りローラー対７３の反対側には、図６または図７の左図のようにスタック部７１から退避した退避状態と、図７の右図のように、スタック部７１にスタックされた媒体束Ｍの綴じ位置Ｃに対して進出した進出状態と、を切り換え可能なブレード７４を備えている。符号７９は、ブレード７４が通る孔部７９である。
【００６５】
図６に示すようにスタック部７１に媒体束Ｍがスタックされたら、第１当接部７６を媒体束Ｍの先端Ｅ１に当接させつつ、第１当接部７６及び第２当接部７７の双方を−Ｒ方向に移動させることにより媒体束Ｍを−Ｒ方向に移動さる。図７の左図に示されるように、綴じ位置Ｃが綴じ部７２と対向する位置に媒体束Ｍを配置し、綴じ部７２によって媒体束Ｍの綴じ位置Ｃを綴じる。
【００６６】
続いて、第２当接部７７を媒体束Ｍの後端Ｅ２に当接させつつ、第１当接部７６及び第２当接部７７の双方を＋Ｒ方向に移動させることにより、媒体束Ｍを＋Ｒ方向に移動させる。綴じ位置Ｃが折りローラー対７３と対向する位置に媒体束Ｍが配置されたら、図７の右図に示されるようにブレード７４を進出状態にする。これにより、媒体束Ｍの綴じ位置Ｃが折りローラー対７３のニップ位置Ｎに向けて挿し込まれる。媒体束Ｍの綴じ位置Ｃが折りローラー対７３にニップされると、折りローラー対７３の回転により媒体束Ｍが折り畳まれつつ第２トレイ６５（図５）に向けて排出される。
【００６７】
尚、第２処理部６２は、搬送経路７０に媒体Ｐの綴じ位置Ｃに折り筋を付ける折り筋形成機構を設けることができる。綴じ位置Ｃは折りローラー対７３による折り位置となるので、綴じ位置Ｃに折り筋を付けることにより媒体束Ｍを綴じ位置Ｃで折り易くすることができる。
【００６８】
＜＜＜媒体処理装置における他の構成＞＞＞
本実施形態の第２ユニット６は、内部に設けられる媒体搬送経路の一部を開放するカバー６４を備えている。カバー６４は第２の筐体６０の上部を開放し、搬送経路７０の一部を露呈させることができる。カバー６４が設けられていることにより、例えば第２ユニット６内において生じた媒体のジャム処理を容易に行うことができる。すなわち、装置内部のメンテナンス性を良好にすることができる。  
尚、カバー６４は、図２に示す第２の筐体６０の前面（−Ｘ方向の面）を開放するように設けることもできる。また、例えば装置前面にハンドルを設け、第２の筐体６０の前面とともに装置内部を手前（−Ｘ方向）に引き出し可能に構成することもできる。
【００６９】
また、本実施形態において第２ユニット６は、図２に示すように、記録ユニット２に設けられるラインヘッド２０（記録部）よりも鉛直方向において下方に位置する。本構成により、記録システム１において、第２ユニット６をコンパクトに配置することができる。  
尚、第２ユニット６は、記録ユニット２のプリンター部１０より下方、すなわち、カセット収容部１４と高さ方向において重なるように配置されている。
【００７０】
図１に示す記録システム１において、第１トレイ４４は、第１の筐体４０に対して高さ方向（Ｚ軸方向）に変位可能に構成されている。第１トレイ４４は、例えば、第１の筐体４０にＺ軸方向に沿って延設される不図示のスライドレールに沿って、不図示の駆動源の動力により変位させる構成とすることができる。第１トレイ４４は、第１処理部４２における処理枚数の増加に伴い下方に変位させて第１トレイ４４における媒体の積載枚数を増やすことができる。第１トレイ４４は、第１ユニット５に対して第２ユニット６が装着されていない図１の状態では、高さ方向における位置ｚ１と位置ｚ２の間で変位可能に構成されている。図２に示すように第１ユニット５に対して第２ユニット６が装着されている場合には、第１トレイ４４は、位置ｚ１と、位置ｚ２よりも上方の位置ｚ３と、の間で変位させることができる。
【００７１】
また、第１ユニット５及び第２ユニット６は、高さ方向の位置を調整可能に構成されている。図２に示すように、第１ユニット５は、第１の筐体４０の下部に第１高さ調整機構５９を備え、第２ユニット６は、第２の筐体６０の下部に第２高さ調整機構６８を備えている。  
記録システム１を設置する場所の地面に凹凸や傾斜がある場合、隣接するユニット、例えば第１ユニット５と第２ユニット６を装着するための装着部４５と被装着部６３と、或いは、中間ユニット３と第２ユニット６とを装着する第２装着部３９と第２被装着部４６との高さ方向の位置がずれる場合がある。
【００７２】
第１ユニット５の高さ方向の位置を調整する第１高さ調整機構５９、第２ユニット６の高さ方向の位置を調整する第２高さ調整機構６８を備えることにより、装着部４５と被装着部６３、或いは第２装着部３９と第２被装着部４６の高さ方向の位置ずれを補正することができる。  
本実施形態においては、中間ユニット３も中間ユニット高さ調整機構２９（図２）を備えており、記録ユニット２と中間ユニット３とを装着する第１装着部１５と第１被装着部３８と、の高さ方向の位置を合わせることができる。
【００７３】
記録システム１は、中間ユニット３を省略した構成とすることも可能である。つまり、記録ユニット２と媒体処理装置４とを接続し、記録ユニット２における記録後の媒体を、中間ユニット３を介さずに媒体処理装置４に直接送る構成とすることができる。そのような構成とする場合には、第１ユニット５に設けられる第１受入部４１は、記録ユニット２の受渡部２６に対応する高さに配置する。また、第１受入部４１とは別の受入部を記録ユニット２の受渡部２６に対応する高さに設け、中間ユニット３を設けるか否かをユーザーが選択できるようにすることもできる。
【００７４】
尚、本実施形態における記録システム１から記録機能を省いた装置を、媒体処理装置４と捉えることもできる。
【００７５】
また、上記実施形態に限定されることなく、特許請求の範囲に記載した発明の範囲内で、種々の変形が可能であり、それらも本発明の範囲内に含まれるものであることは言うまでもない。
【符号の説明】
【００７６】
１…記録システム、２…記録ユニット、３…中間ユニット、４…媒体処理装置、５…第１ユニット、６…第２ユニット（装置ユニット）、１０…プリンター部、１１…スキャナー部、１２…媒体収容カセット、１３…記録後排出トレイ、１４…カセット収容部、１５…第１装着部、２０…ラインヘッド（記録部）、２１…給送経路、２２…第１排出経路、２３…第２排出経路、２４…反転用経路、２５…制御部、２６…受渡部、２９…中間ユニット高さ調整機構、３０…受入経路、３１…第１スイッチバック経路、３２…第２スイッチバック経路、３３…合流経路、３４…中間受入部、３５…分岐部、３６…合流部、３７…中間受渡部、３８…第１被装着部、３９…第２装着部、４０…第１の筐体、４１…第１受入部、４２…第１処理部、４３…送出部、４４…第１トレイ、４５…装着部、４６…第２被装着部、４７…第１搬送経路、４８…処理トレイ、４９…上部トレイ、５１…第２搬送経路、５３…第３搬送経路、５６…第１分岐部、５７…第２分岐部、５９…第１高さ調整機構、６０…第２の筐体、６１…第２受入部、６２…第２処理部、６３…被装着部、６４…カバー、６５…第２トレイ、６６…規制部、６７…ガイド部、６８…第２高さ調整機構、７０…搬送経路、７１…スタック部、７２…綴じ部、７３…折りローラー対、７４…ブレード、７５…送りローラー対、７６…第１当接部、７７…第２当接部、７８…進入路、７９…孔部、Ｐ…媒体、Ｍ…媒体束
【図１】
2020075800.tif 000003
【図２】
2020075800.tif 000004
【図３】
2020075800.tif 000005
【図４】
2020075800.tif 000006
【図５】
2020075800.tif 000007
【図６】
2020075800.tif 000008
【図７】
2020075800.tif 000009